(57)【要約】【課題】  この考案は、ロッドアーム先端からの保護部材の脱落を防止し、顧客に対する保護機能に優れた商品陳列用ロッドフックを提供する。【解決手段】  什器等に装着される装着部材３と、装着部材３に固定され、装着部材から前方に突出し、商品が吊り下げられるロッドアーム２と、を備える商品陳列用ロッドフック１であって、ロッドアーム２は、商品が吊り下げられる本体部２１と、この本体部２１から斜め上向きに傾斜した先端部２２と、装着部材３に溶接により取り付けられる後端部２３と、を有し、先端部の先端には、ロッドアーム２より小径の固定部２５が突出して形成され、この突出部２５より僅かに小さな径の取付穴部４５を有する先端保護キャップ４が固定部２５に嵌め込まれて装着されている。【選択図】    図４
0003169928.tif 000002
【実用新案登録請求の範囲】
【請求項１】
什器等に装着される装着部材と、
前記装着部材に固定され、前記装着部材から前方に突出し、商品が吊り下げられるロッドアームと、を備える商品陳列用ロッドフックであって、
前記ロッドアームは、商品が吊り下げられる本体部と、この本体部から斜め上向きに傾斜した先端部と、前記装着部材に溶接により取り付けられる後端部と、を有し、
前記先端部の先端には、前記ロッドアームより小径の固定部が突出して形成され、この突出部より僅かに小さな径の取付穴部を有する先端保護キャップが前記固定部に嵌め込まれて装着されている、商品陳列用ロッドフック。
【請求項２】
前記保護キャップは、軟質樹脂で一体に形成されている、請求項１に記載の商品陳列用ロッドフック。
【請求項３】
前記固定部は、前記ロッドアームの直径より小径の先端小径部と、その先端小径部とロッドアームの先端部との間に位置し、前記先端小径部よりさらに小径の溝部を有し、
前記取付穴部は、前記溝部と同様の形状に形成された第１のホルダー部と、前記先端小径部と同様の形状に形成された第２のホルダー部と、を有する、請求項１又は請求項２に記載の商品陳列用ロッドフック。
【請求項４】
前記固定部の先端小径部及び溝部はプラス公差で形成され、前記取付穴部の第１、第２ホルダー部はマイナス公差で形成されている、請求項３に記載の商品陳列用ロッドフック。
【請求項５】
前記装着部材は、上面部とこの上面部の前後端から下方に延設された脚部を備え、前記上面部の中央部に、前記ロッドアームの後端部が溶接により固定される、請求項１に記載の商品陳列用ロッドフック。
【請求項６】
前記後端部の端部が半球状に形成されている、請求項５に記載の商品陳列用ロッドフック。
【考案の詳細な説明】
【技術分野】
【０００１】
この考案は、商品を吊り下げて陳列する商品陳列用ロッドフックに係り、ロッドの先端に顧客の体が当たった場合の安全性を確保する商品陳列用ロッドフックに関するものである。
【背景技術】
【０００２】
各種店舗において、商品を吊り下げて陳列するために、水平状に延びる鋼製線材製の商品陳列用ロッドフックが多く用いられている。
【０００３】
この商品陳列用ロッドフックは、陳列什器等の棚、フレーム、バー又は線材製のネット状の陳列什器等に取り付けて使用されるもので、棚、フレーム、バー又はネット等に取り付けられる装着部材と、この装着部材に溶接等により固定されるロッドアームとを備える。そして、装着部材から商品吊り下げ用のロッドアームが１本だけ前向きに延びた形態のシングルフックと呼ばれているものと、メインロッドアームに加えて、カードケースを取り付けることができるサブロッドアームを備えた十手フックと呼ばれるものが多く用いられている。
【０００４】
ところで、このような商品陳列用ロッドフックは、ロッドアームの先端が、顧客が通行する通路に突き出ており、顧客の顔や手など体の一部にロッドアームの先端が当たることがあった。特に、小さな子供などがロッドアームに当たると、思わぬ怪我をする可能性があった。そこで、安全対策として、ロッドアームの先端に、外力が掛かると撓み変形する保護部を設けた商品陳列用のフックが提案されている（例えば、特許文献１参照）。
【０００５】
上記した特許文献１に開示された従来の商品陳列用フックを図３０に従い説明する。図３０に示すように、従来のフック１０１におけるメインバー１０３の傾斜部１０３ａのうちその付け根寄りの部分を除く大部分は小径部１０３ｂと成している。そして、この小径部１０３ｂに保護部材１０７を嵌め込み装着している。保護部材１０７は軽い力で撓み変形すると共に金属に対する密着性が高い素材からなっている。保護部材１０７は、メインバー１０３の小径部３１０ｂにきっちり嵌まるホルダー部１０７ａと、小径部１０３ｂの外側に露出した保護部１０７ｂとが一体に繋がった状態に形成されており、保護部１０７ｂの先端は丸みを帯びている。
【０００６】
そして、ホルダー部１０７ａは硬い樹脂素材とすることによって小径部１０３ｂへの嵌め込みを容易ならしめ、保護部１０７ｂは柔らかい樹脂素材とすることによって高い安全製を確保している
【０００７】
これら保護部材１０７は、射出成形法の一種としてのいわゆる２色成形法によって一体成形により形成されている。
【先行技術文献】
【特許文献】
【０００８】
【特許文献１】特開２００４−２３６９７５号公報
【考案の概要】
【考案が解決しようとする課題】
【０００９】
上記した特許文献１に開示されたフック１０１は、商品を確認しようとして顔をフック１００に近づけすぎたりした時など、様々の要因で、顧客の顔や手が保護部材１０７に当たることがある。この時、保護部材１０７の保護部１０７ｂが撓み変形することにより、身体に対する衝撃が大幅に緩和され、安全性を向上させることができる。
【００１０】
しかしながら、上記した特許文献１のものにおいては、ホルダー部１０７ａとフック１００の小径部１０３との大きさについては、何ら言及されていない。単に、ホルダー部１０７ａが小径部１０３ｂにきっちり嵌ると記載されているだけである。そして、ホルダー部１０７ａを硬い樹脂材料にし、保護部１０７ｂは柔らかい樹脂素材とした場合には、硬質樹脂部材と軟質樹脂部材との境から破壊が生じ、軟質部分のみ脱落して、実用性の観点から問題が生じる。
【００１１】
さらに、硬質樹脂を金属により外側から嵌め合いするには物理的に無理があり、実際には、割れが生じないように、少し大きく形成せざるを得ない。このため、ホルダー部１０７ａは小径部１０３ｂより僅かに大きく形成することになる。この結果、衝撃等により、保護部材１０７がフック１の先端部から脱落するなどの問題があった。
【００１２】
この考案の目的は、上記した従来の難点に鑑みなされたものにして、ロッドアーム先端からの保護部材の脱落を防止し、顧客に対する保護機能に優れた商品陳列用ロッドフックを提供することにある。
【課題を解決するための手段】
【００１３】
この考案の商品陳列用ロッドフックは、什器等に装着される装着部材と、前記装着部材に固定され、前記装着部材から前方に突出し、商品が吊り下げられるロッドアームと、を備える商品陳列用ロッドフックであって、前記ロッドアームは、商品が吊り下げられる本体部と、この本体部から斜め上向きに傾斜した先端部と、前記装着部材に溶接により取り付けられる後端部と、を有し、前記先端部の先端には、前記ロッドアームより小径の固定部が突出して形成され、この突出部より僅かに小さな径の取付穴部を有する先端保護キャップが前記固定部に嵌め込まれて装着されている。
【００１４】
また、前記保護キャップは、軟質樹脂で一体に形成するとよい。
【００１５】
また、前記固定部は、前記ロッドアームの直径より小径の先端小径部と、その先端小径部とロッドアームの先端部との間に位置し、前記先端小径部よりさらに小径の溝部を有し、前記取付穴部は、前記溝部と同様の形状に形成された第１のホルダー部と、前記先端小径部と同様の形状に形成された第２のホルダー部と、を有するように構成すればよい。
【００１６】
また、前記固定部の先端小径部及び溝部はプラス公差で形成され、前記取付穴部の第１、第２ホルダー部はマイナス公差で形成すればよい。
【００１７】
また、前記装着部材は、上面部とこの上面部の前後端から下方に延設された脚部を備え、前記上面部の中央部に、前記ロッドアームの後端部が溶接により固定すればよく、前記後端部の端部が半球状に形成すればよい。
【考案の効果】
【００１８】
この考案は、保護キャップの取付穴部は、ロッドアームの先端部の固定部より、嵌め合いの公差分僅かに小さく形成されているので、金属部形状に合わせ収縮や膨張して密着する。そして、軟質樹脂の持つ特性により、顧客の身体の一部と当接した際にも柔らかく対応する。
【図面の簡単な説明】
【００１９】
【図１】この考案の第１の実施形態にかかる商品陳列用ロッドフックを示す斜視図である。
【図２】この考案の第１の実施形態にかかる商品陳列用ロッドフックを示す斜視図である。
【図３】この考案の第１の実施形態にかかる商品陳列用ロッドフックを示す側面図である。
【図４】この考案の第１の実施形態にかかる商品陳列用ロッドフックの先端保護キャップ部分を破断した側面図である。
【図５】この考案の第１の実施形態にかかる商品陳列用ロッドフックの先端部の撓み状態を示す模式図である。
【図６】保護キャップをロッドアームの固定部から取り外した状態のこの考案の第１の実施形態にかかる商品陳列用ロッドフックを示す上面図である。
【図７】保護キャップをロッドアームの固定部から取り外した状態のこの考案の第１の実施形態にかかる商品陳列用ロッドフックを示す底面図である。
【図８】保護キャップをロッドアームの固定部から取り外した状態のこの考案の第１の実施形態にかかる商品陳列用ロッドフックを示す側面図である。
【図９】保護キャップをロッドアームの固定部から取り外した状態のこの考案の第１の実施形態にかかる商品陳列用ロッドフックを示す背面図である。
【図１０】保護キャップをロッドアームの固定部から取り外した状態のこの考案の第１の実施形態にかかる商品陳列用ロッドフックを示す正面図である。
【図１１】この考案の第１の実施形態にかかるロッドアームの先端部を示す側面図である。
【図１２】この考案の第１の実施形態にかかるロッドアームの先端部から見た正面図である、
【図１３】この考案の第１の実施形態にかかる保護キャップを示す側面図である。
【図１４】この考案の第１の実施形態にかかる保護キャップの先端部から見た正面図である。
【図１５】この考案の第１の実施形態にかかる保護キャップの断面図である。
【図１６】この考案の第１の実施形態にかかるロッドアームの先端部に保護キャップを装着する状態を示す側面図である。
【図１７】この考案の第１の実施形態にかかるロッドアームの先端部に保護キャップを装着した状態を示す断面図である。
【図１８】この考案の第１の実施形態にかかる商品陳列用ロッドフックを用いた商品陳列例を示す斜視図である。
【図１９】この考案の第１の実施形態にかかる商品陳列用ロッドフックを用いた商品陳列例を示す側面図である。
【図２０】この考案の第２の実施形態にかかる商品陳列用ロッドフックを示す斜視図である。
【図２１】この考案の第２の実施形態にかかる商品陳列用ロッドフックを示す側面図である。
【図２２】この考案の第３の実施形態にかかるロッドアームの先端部を示す側面図である。
【図２３】この考案の第３の実施形態にかかるロッドアームの先端部から見た正面図である、
【図２４】この考案の第３の実施形態にかかる保護キャップを示す側面図である。
【図２５】この考案の第３の実施形態にかかる保護キャップの先端部から見た正面図である。
【図２６】この考案の第３の実施形態にかかる保護キャップの断面図である。
【図２７】この考案の第３の実施形態にかかるロッドアームの先端部に保護キャップを装着する状態を示す側面図である。
【図２８】この考案の第３の実施形態にかかるロッドアームの先端部に保護キャップを装着した状態を示す断面図である。
【図２９】この考案の第４の実施形態にかかる商品陳列用ロッドフックを示す側面図である。
【図３０】従来の陳列用フックを示す要部断面図である。
【考案を実施するための形態】
【００２０】
この考案の実施の形態について図面を参照しながら詳細に説明する。なお、図中同一または相当部分には同一符号を付し、説明の重複を避けるためにその説明は繰返さない。
【００２１】
図１及び図２は、この考案の第１の実施形態にかかる商品陳列用ロッドフックを示す斜視図である。図１及び図２に示すように、この考案の商品陳列用ロッドフック１は、陳列棚等のフレーム５に上方から嵌り込む装着部材３と、この装着部材３に溶接により取り付けられ、前方に突出する鋼製線材からなるロッドアーム２と、を備える。ロッドアーム２に商品が吊り下げられる。
【００２２】
ロッドアーム２は、商品が吊り下げられる本体部２１と、この本体部２１から斜め上向きに傾斜した先端部２２と、装着部材３に溶接により取り付けられる後端部２３と、を有する。先端部２２の先端には、後述するように、軟質樹脂で一体に形成された先端保護キャップ４が装着される。
【００２３】
装着部材３は、例えば、鋼材を素材として形成されており、上面部３１と上面部３１の前後端から下方に延設された脚部３２、３３を有し、陳列棚等の左右に延びるフレーム５に、上方から引っかけられるようになっている。
【００２４】
図３は、この考案の第１の実施形態にかかる商品陳列用ロッドフックを示す側面図、図４は、この考案の第１の実施形態にかかる商品陳列用ロッドフックの先端保護キャップ部分を破断した側面図、図５は、この考案の第１の実施形態にかかる商品陳列用ロッドフックの先端部の撓み状態を示す模式図である。
【００２５】
ロッドアーム２の先端部２２には、軟質樹脂からなる保護キャップ４が取り付けられる。この軟質樹脂は、例えば、軟質ゴムであるクロロブレンゴムが用いられ、この実施形態では、ゴム硬度が４５度程度のものを用いている。
【００２６】
ロッドアーム２の後端部２３の端部は、半球状に形成されている。このため、人や物が当たった際にもロッドアーム２の角などには当たらず、怪我や傷の発生を防いでいる。
【００２７】
ロッドアーム２は、略直線状の鋼製線材からなり、直線状の後端部２３が装着部材２３の上面部３１の中央部に溶接により取り付けられている。尚、ロッドアーム２をＬ字状に形成し、装着部材３の脚部３２に取り付ける形態もあるが、直線状のロッドアーム２の形状の方が、強度並びにコストの点からも有利である。
【００２８】
金属棒をＬ字状に曲げると、そのＬ字曲げによる加工工程が増えるとともに、金属組織がその曲げ部分で粗くなり、強度が落ちる。また、金属棒の曲げ加工は素材組織が安定しないため、Ｌ型加工の管理と不良率の懸念が払拭しない。このため、直線状のロッドアーム２の方が、強度、寸法精度、コストとの点で有利である。
【００２９】
図４に示すように、ロッドアーム２の先端部２２には、保護キャップ４が取り付けられる固定部２５が設けられている。固定部２５は、ロッドアーム２２の直径より小径の先端小径部２５ｂと、その先端小径部２５ｂと先端部２２との間に位置する先端小径部よりさらに小径の溝部２５ａを有する。この実施形態では、ロッドアーム２２の直径が６ｍｍ、先端小径部２５ｂの直径が４．５ｍｍ、溝部２５ａの直径は３ｍｍである。また、溝部２５ａ、先端小径部２５ｂの長さはそれぞれ３ｍｍとしている。
【００３０】
この先端小径部２５ｂと溝部２５ａの大きさと同様の大きさに形成された取付穴部４５が保護キャップ４に形成されている。この固定部２５に保護キャップ４の取付穴部４５を合わせて、保護キャップ４を嵌め込むと、保護キャップ４の外面は、ロッドアーム２の外面と殆ど同一面になっている。
【００３１】
図５に示すように、ロッドアーム２の先端部２２の固定部２５に嵌め込まれた保護キャップ４は、軟質樹脂で形成されているため、力が加わると撓むように形成されている。
【００３２】
図６ないし図１０は、保護キャップ４をアームの固定部から取り外した状態の商品陳列用ロッドフックを示し、図６は、上面図、図７は底面図、図８は、側面図、図９は、背面図、図１０は、正面図である。
【００３３】
図６ないし図１０に示すように、保護キャップ４を取り外した状態では、ロッドアーム２の先端部２２には、先端部２２から長さ３ｍｍ、直径３ｍｍの溝部２５ａと、直径４．５ｍｍ、長さ３ｍｍの先端小径部２５ｂが突出して設けられている。商品陳列用フック１は、商品展示に応じて、本体部２１の長さが１０ｍｍから３５０ｍｍまで種々異なる長さのものがあるが、それぞれ先端部２２の先端には、この実施形態に示す固定部２５が設けられ、この固定部２５に保護キャップ４が嵌め込まれる。
【００３４】
図１１ないし図１７を参照して、この第１の実施形態のロッドアーム２の先端部２２と保護キャップ４につき説明する。図１１は、ロッドアームの先端部を示す側面図、図１２は、ロッドアームの先端部から見た正面図、図１３は、保護キャップを示す側面図、図１４は、保護キャップの先端部から見た正面図、図１５は、保護キャップの断面図、図１６は、ロッドアームの先端部に保護キャップを装着する状態を示す側面図、図１７は、ロッドアームの先端部に保護キャップを装着した状態を示す断面図である。
【００３５】
ロッドアーム２の先端部２２には、溝部２５ａと先端小径部２５ｂからなる固定部２５が突出して設けられている。溝部２５ａの直径（ａ）は、プラス公差（０．２ｍｍ）で３ｍｍであり、その長さはマイナス公差（０．２ｍｍ）で３ｍｍである。先端小径部２５ｂの直径（ｂ）は、プラス公差（０．２ｍｍ）で４．５ｍｍであり、その長さはプラス公差（０．２ｍｍ）で３ｍｍである。この実施形態においては、先端小径部２５ｂの先端は円盤状に形成されている。この先端小径部２５ｂの角部分には、Ｒ加工を施すとよい。さらに、先端小径部２５ｂの先端部は、半球状に形成してもよい。先端小径部２５ｂの先端をＲ加工又は半球状にすることで、保護キャップ４をスムーズに挿入して嵌め込むことができる。
【００３６】
ロッドアーム２の先端部２２に嵌め込み取り付けられる保護キャップ４は、軟質樹脂で一体に形成されている。この軟質樹脂は、例えば、軟質ゴムであるクロロブレンゴムが用いられ、この実施形態では、ゴム硬度が４５度程度のものを用いている。
【００３７】
保護キャップ４には、先端小径部２５ｂと溝部２５ａの大きさと同様の大きさに形成された取付穴部４５が形成されている。取付穴部４５は、溝部２５ａと同様の大きさに形成された第１ホルダー部４５ａと先端小径部２５ｂと同様の大きさに形成された第２ホルダー部４５ｂからなる。保護キャップ４は、ロッドアーム２の先端部２２に突出形成された溝部２５ａにきっちり嵌まる第１ホルダー部４５ａと、先端小径部２５ｂにきっちり嵌る第２ホルダー部４５ｂとこの外側に露出した保護部とが一体に繋がった状態に形成されている。そして、保護キャップ４の先端は、丸みを帯びている。保護キャップ４はロッドアーム２の先端部２２の固定部２５に対する密着性があるため、いったん固定部２５に嵌め込むと簡単に外れることはない。
【００３８】
第１ホルダー部４５ａの直径（ｃ）は、マイナス公差（０．２ｍｍ）で３ｍｍであり、その長さはプラス公差（０．２ｍｍ）で３ｍｍである。第２ホルダー部４５ｂの直径（ｄ）は、マイナス公差（０．２ｍｍ）で４．５ｍｍであり、その長さはマイナス公差（０．２ｍｍ）で３ｍｍである。
【００３９】
このように、保護キャップ４の取付穴部４５は、ロッドアーム２の先端部２２の固定部２５より、嵌め合いの公差分僅かに小さく形成されている。そして、保護キャップ４は、軟質樹脂で形成されているため、取付時に伸ばしても破断することなく装着できる。
【００４０】
このように、保護キャップ４の取付穴部４５は、ロッドアーム２の先端部２２の固定部２５より僅かに小さい嵌め合いにすることにより、取り付けを可能にし、且つ軟質樹脂部分全体で金属部形状に合わせ収縮や膨張して密着する。そして、軟質樹脂の持つ特性により、顧客の身体の一部と当接した際にも柔らかく対応する。なお、保護キャップ４の色彩は任意に設定することができる。例えば、黒色に着色したものを用いることができる。また、目立つ色にすることによって、顧客の注意を喚起することも可能であるし、ケバケバしさを嫌う売り場の場合は、ロッドアーム２と同系の色彩・光沢に設定すればよい。
【００４１】
さらに、溝部２５ａ内に入り込むように、第１ホルダー２５ａが密接した状態で嵌め込まれるため、この部分で確実に保護キャップ４のロッドアーム２からの脱落が防止できる。
【００４２】
この固定部２５に保護キャップ４の取付穴部４５を合わせて、保護キャップ４を嵌め込むと、保護キャップ４の外面は、ロッドアーム２の外面と殆ど同一面になっている。
【００４３】
さて、商品を確認しようとして顔をフック１に近づけ過ぎたり、通路に手を上げたりというような様々の理由により、顧客の身体（顔や手）が保護キャップ４に当たることがある。すると、図４に示すように、保護キャップ４が軟質樹脂で形成されているため、撓み変形することにより、身体に対する衝撃が大幅に緩和される。このため、安全性を格段に向上させることができる。また、保護キャップ４の取付穴部４５と先端２２の固定部２５とは、密接し、僅かに保護キャップ４が伸縮した状態で嵌め込まれるため、衝撃等により脱落する虞もない。
【００４４】
図１８及び図１９は、この考案の商品陳列用ロッドフックを用いた商品陳列例を示すもので、図１８は斜視図、図１９は側面図である。
【００４５】
図１８に示すように、壁等に所定間隔でサポート部材６が取り付けられる。サポート部材６には、複数のスリットが設けられ、このスリットにブラケット７が挿入されて取り付けられている。そして、一対のブラケット７、７にバー８を取り付けている。このバー８に装着部材３を上方から嵌り込ませ、複数の商品陳列用ロッドフック１が取り付けられる。
【００４６】
この実施形態では、前後に長さの違うブラケット７を用いて、前後方向にも所定間隔を隔てて商品を陳列可能に構成している。この実施形態では、商品としてベルトＢをロッドフック１に吊り下げている。
【００４７】
このような構成の商品陳列において、図１９に示すように、ロッドフック１から商品を取り外し、引き出す際に、フック１の後端部に商品が触れることがある。このとき、ロッドフック１の後端部２３が直線上に形成されていると、フックの角で商品に傷がつく虞がある。これに対して、この実施形態のロッドフック１は、後端２３の端部を半球状に形成しているので、商品Ｂが触れて引き出されても、商品に傷等が着くのが防止できる。
【００４８】
次に、この考案の第２の実施形態につき、図２０及び図２１に従い説明する。この実施形態は、十手フックにこの考案を用いたものであり、図２０は、斜視図、図２１は側面図である。
【００４９】
この十手フック１ａは、商品を吊り下げるメインロッドアーム２と、棚の水平フレーム４に上方から嵌まり込む装着部材３とを備えており、装着部材３にメインロッドアーム２の基端部を溶接等によって固着している。
【００５０】
十手フック１ａでは、メインロッドアーム２の基端部に、当該メインロッドアーム２と平行に延びるサブバー２７を一体に設けている。サブバー２７の先端２７ａは上向きに折曲げられており、これをカードケース（図示せず）を装着して、このカードケースにプライスカード等のカード類を装着することができる。
【００５１】
メインロッドアーム２の先端部２２は側面視で斜め上向きに傾斜しており、先端部２２に保護キャップ４を装着している。ロッドアーム２の先端部２２に設けた固定部２５と保護キャップ４に設けた取付穴部４５は、前述した第１の実施形態と同じ構成である。
【００５２】
次に、この考案の第３の実施形態につき説明する。上記した実施形態では、ロッドアーム２の先端部２２に形成した固定部は、円盤状に形成しているが、固定部はこの形状に限らない。例えば、図２２ないし図２８には、半円状に固定部２５を形成している。
【００５３】
図２２ないし図２８を参照して、この第３の実施形態のロッドアーム２の先端部２３と保護キャップ４につき説明する。図２２は、ロッドアームの先端部を示す側面図、図２３は、ロッドアームの先端部から見た正面図、図２４は、保護キャップを示す側面図、図２５は、保護キャップの先端部から見た正面図、図２６は、保護キャップの断面図、図２７は、ロッドアームの先端部に保護キャップを装着する状態を示す側面図、図２８は、ロッドアームの先端部に保護キャップを装着した状態を示す断面図である。
【００５４】
ロッドアーム２の先端部２３には、溝部２５ｃと先端小径部２５ｄからなる固定部２５が突出して設けられている。溝部２５ｃと先端小径部２５ｄは、図２３に示すように、半円状に形成されている。半円状の溝部２５ａの半径（ａ）は、プラス公差（０．１ｍｍ）で１．５ｍｍであり、その長さはマイナス公差（０．２ｍｍ）で３ｍｍである。半円状の先端小径部２５ｂの半径（ｂ）は、プラス公差（０．１ｍｍ）で４．５ｍｍであり、その長さはプラス公差（０．２ｍｍ）で３ｍｍである。
【００５５】
ロッドアーム２の先端部２２に嵌め込み取り付けられる保護キャップ４は、軟質樹脂で一体に形成されている。この軟質樹脂は、例えば、軟質ゴムであるクロロブレンゴムが用いられ、この実施形態では、ゴム硬度が４５度程度のものを用いている。
【００５６】
保護キャップ４には、先端小径部２５ｃと溝部２５ｄの大きさと同様の大きさに形成された取付穴部４５が形成されている。取付穴部４５は溝部２５ｃと同様の大きさに形成された第１ホルダー部４５ｃと先端小径部２５ｄと同様の大きさに形成された第２ホルダー部４５ｄからなる。
【００５７】
第１ホルダー部４５ｃの半径は、マイナス公差（０．１ｍｍ）で１．５ｍｍであり、その長さはマイナス公差（０．２ｍｍ）で３ｍｍである。第２ホルダー部４５ｂの半径は、マイナス公差（０．１ｍｍ）で４．５ｍｍであり、その長さはプラス公差（０．２ｍｍ）で３ｍｍである。
【００５８】
このように、保護キャップ４の取付穴部４５は、ロッドアーム２の先端部２２の固定部２５より、嵌め合いの公差分僅かに小さく形成されている。そして、保護キャップ４は、軟質樹脂で形成されているため、取付時に伸ばしても破断することなく装着できる。
【００５９】
固定部２５、取付穴部４５は、上記したように、円形、半円形以外に矩形形状のもの等種々の形状に変更可能である。
【００６０】
次に、この考案の第４の実施形態を図２９に従い説明する。図２９に示すものは、この考案の陳列用ロッドフック１は、陳列棚等のフレーム５に嵌り込む装着部材３と、この装着部材３に溶接により取り付けられる鋼製線材からなるロッドアーム２ｄと、を備える。
【００６１】
ロッドアーム２は、斜め下方向に延び、ロッドアーム２ｄに複数のハンガーダボ２ｅが取り付けられている。このハンガーダボ２ｅに衣料用ハンガーを掛けて、商品を展示するものである。このハンガー用ロッドアーム２ｄの先端部にもこの考案の固定部を形成し、保護キャップ４に取付穴部を設け、両者を嵌め込んで固定し安全性を確保している。
【００６２】
今回開示された実施の形態はすべての点で例示であって制限的なものではないと考えられるべきである。この考案の範囲は、上記した実施の形態の説明ではなくて実用新案登録請求の範囲によって示され、実用新案登録請求の範囲と均等の意味および範囲内でのすべての変更が含まれることが意図される。
【符号の説明】
【００６３】
１  商品陳列用ロッドフック
２  ロッドアーム
２１  本体部
２２  先端部
２３  後端部
２５  固定部
２５ａ  溝部
２５ｂ  先端小径部
３  装着部材
４  保護キャップ
４５  取付穴部
４５ａ  第１のホルダー
４５ｂ  第２のホルダー
【図１】
0003169928.tif 000003
【図２】
0003169928.tif 000004
【図３】
0003169928.tif 000005
【図４】
0003169928.tif 000006
【図５】
0003169928.tif 000007
【図６】
0003169928.tif 000008
【図７】
0003169928.tif 000009
【図８】
0003169928.tif 000010
【図９】
0003169928.tif 000011
【図１０】
0003169928.tif 000012
【図１１】
0003169928.tif 000013
【図１２】
0003169928.tif 000014
【図１３】
0003169928.tif 000015
【図１４】
0003169928.tif 000016
【図１５】
0003169928.tif 000017
【図１６】
0003169928.tif 000018
【図１７】
0003169928.tif 000019
【図１８】
0003169928.tif 000020
【図１９】
0003169928.tif 000021
【図２０】
0003169928.tif 000022
【図２１】
0003169928.tif 000023
【図２２】
0003169928.tif 000024
【図２３】
0003169928.tif 000025
【図２４】
0003169928.tif 000026
【図２５】
0003169928.tif 000027
【図２６】
0003169928.tif 000028
【図２７】
0003169928.tif 000029
【図２８】
0003169928.tif 000030
【図２９】
0003169928.tif 000031
【図３０】
0003169928.tif 000032